(57)【要約】      （修正有）【課題】ネジロック構造の利用で骨組と板体間の穏定性を高めるとともに耐用寿命及び耐重量性を向上させうるネジロック構造を具有する覆い隠し骨組の天井を提供する。【解決手段】板体３の辺枠３２内側に複数個のネジロック構造４を設け、骨組構造における概略板状を呈する骨組２２を板体３同士が相互に連接する箇所の上方に跨って設け、骨組２２の両端をネジ２３の締めこみによりネジロック構造４に固着し、複数の板体３を相互に連接固定して一体としたネジロック構造を具有する。【選択図】図２
0003159072.tif 000002
【実用新案登録請求の範囲】
【請求項１】
多数の骨組構造（２）並びにそれぞれ面板（３１）、辺枠（３２）及び充填材料（３３）で組成された多数の板体（３）を備えたネジロック構造を具有する覆い隠し骨組の天井（１）であって、
前記板体（３）の辺枠（３２）内側に概略ブロック状を呈してネジ孔（４２）が形成された複数個のネジロック構造（４）を設け、前記骨組構造（２）における概略板状を呈する骨組（２２）を前記板体（３）同士が相互に連接する箇所の上方に跨って設け、該骨組（２２）の両端を前記ネジ孔（４２）へのネジ（２３）の締めこみにより前記ネジロック構造（４）に固着し、複数の前記板体（３）を相互に連接固定して一体としたことを特徴とするネジロック構造を具有する覆い隠し骨組の天井。
【請求項２】
上記辺枠（３２）は断面が概略Ｍ形を呈して開口が外側向けの凹槽（３２１）を有し、且つ相対する該凹槽（３２１）の他端の辺縁にレール（３２２）を設け、上記ネジロック構造（４）には可動板（４３）を連接し該可動板（４３）を上記レール（３２２）に係設させたことを特徴とする請求項１記載のネジロック構造を具有する覆い隠し骨組の天井。
【請求項３】
上記可動板（４３ｂ）の両側を外向きに凸起させて上記ネジロック構造（４）との間にスライド槽（４４ｂ）を形成し、該スライド槽（４４ｂ）は上記辺枠（３２）のレール（３２２）に係設していることを特徴とする請求項２記載のネジロック構造を具有する覆い隠し骨組の天井。
【請求項４】
上記辺枠（３２ｃ）は、断面が概略Ｃ形もしくは概略Ｏ形のいずれかであることを特徴とする請求項１記載のネジロック構造を具有する覆い隠し骨組の天井。
【請求項５】
上記辺枠（３２）と上記ネジロック構造（４）は溶接手段もしくはネジ（３７）を用いたネジ締め付け手段のいずれかの手段で連結したものであることを特徴とする請求項２又は４記載のネジロック構造を具有する覆い隠し骨組の天井。
【請求項６】
上記板体（３）が相互に連接する箇所に係合ピース（７）を設け、該係合ピース（７）を上記凹槽（３２１）内に係設したことを特徴とする請求項２記載のネジロック構造を具有する覆い隠し骨組の天井。
【請求項７】
上記骨組（２２）に吊りロッド（２８）を設け、該吊りロッド（２８）は他端側のネジロッド（２８２）で上層構造（１１）下方の懸垂ロッド（１２）底端の水平調整器（１３）に取付けたことを特徴とする請求項２又は４記載のネジロック構造を具有する覆い隠し骨組の天井。
【請求項８】
上記骨組（２２）は中間が内向けに概略凹状の板体を呈するとともに該凹状部の底板（２５）中間に孔（２６）を有し、上記吊りロッド（２８）は前記孔（２６）よりも大きい固定端（２８１）及び該固定端（２８１）に連接された上記ネジロッド（２８２）から組成し、該ネジロッド（２８２）は前記孔（２６）を通過した後、上向きに伸びて上記水平調整器（１３）に取付けられていることを特徴とする請求項７記載のネジロック構造を具有する覆い隠し骨組の天井。
【請求項９】
板体（３ｅ）が上記吊りロッド（２８）に相対する箇所に凹口（３６ｅ）を有し、上記骨組（２２ｅ）は中間に孔（２６ｅ）を有し、前記吊りロッド（２８）は前記凹口（３６ｅ）内に置かれて前記孔（２６ｅ）より大きい固定端（２８１）及び該固定端（２８１）に連接された上記ネジロッド（２８２）から組成し、該ネジロッド（２８２）は前記孔（２６ｅ）を通過した後、上向きに伸びて上記水平調整器（１３）に取付けられていること
を特徴とする請求項７記載のネジロック構造を具有する覆い隠し骨組の天井。
【請求項１０】
多数の上記面板（３１）端部の断面は概略Ｌ形を呈し、前記面板（３１）は前記Ｌ形の部分で上記辺枠（３２）と相互に固定されていることを特徴とする請求項１記載のネジロック構造を具有する覆い隠し骨組の天井。
【考案の詳細な説明】
【技術分野】
【０００１】
本考案は、ネジロック構造を具有する覆い隠し骨組の天井に関するものであり、特に、ネジロック構造の利用で骨組と板体間の穏定性を高めるとともに耐用寿命及び耐重量性を向上させることが可能なネジロック構造を具有する覆い隠し骨組の天井に関するものである。
【背景技術】
【０００２】
一般に、居室の天井には、電線や配管等が設けられている空間から該居室を仕切る天井板が吊り下げられ、該居室を清浄に保つことが行われている。しかし、その天井板を吊り下げる骨組構造は天井板を構成する各板体の間隙箇所の下方に暴露し、塵埃が集積して環境衛生上問題が生じる。
【０００３】
上述の問題を解決するため、周知技術においては、例えば図１０及び図１１に示すように、次のような骨組の天井１ａ構成が行われている。この天井１ａは、上層形鋼等からなる上層構造１１の底面に多数の懸垂ロッド１２を布設し、各懸垂ロッド１２の底端には、それぞれ水平調整器１３を設けている。そして該多数の水平調整器１３の下方に、概略的に平行で相互間に間隙２１ａを有する多数の骨組構造２ａを布設している。該骨組構造２ａは、多数の骨組２２ａを直列に連結して構成されており、該骨組２２ａは、その断面が概略酒コップ状の條状態を呈し、前記水平調整器１３に連結されるＣ形端２３ａ及び他端側の固定端２４ａを有し、さらにＣ形端２３ａと固定端２４ａ間に連設する隔離板２５ａを有している。多数の板体３ａは、複数の面板３１ａ、該面板３１ａ両側の辺枠３２ａ及び面板３１ａと辺枠３２間の充填材料３３ａで組成されている。該多数の板体３ａ相互間には間距離３４ａを有し、また多数の骨組構造２ａ相互間には間隙２１ａを設け、且つ辺枠３２ａの両側に凹槽３２１ａを設けて、該凹槽３２１ａ内に骨組２２ａの固定端２４ａを嵌設し、さらに多数のＬ形固定枠７ａの両端を隔離板２５ａ及び面板３１ａに固設している。上述の構造により、多数の板体３ａ底面を概略同一平面に呈することで、衛生問題が生じるのを免れている。
【考案の概要】
【考案が解決しようとする課題】
【０００４】
ところで、ある状況下においては、板体３ａ部分はファン・フィルター・ユニット（ＦＦＵ）の設置が必要であり、且つ該ＦＦＵを設置するための工作人員も該板体３ａ上を歩く必要がある。このため、板体３ａ部分が所要の耐重量性を有することは非常に重要である。そして上記周知技術においては、骨組の固定端２４ａ及びＬ形固定枠７ａで該板体３ａから来る重量を受けて、この部分に荷重が集中する。しかしながら、この部分における該Ｌ形固定枠７ａは非常に薄い面板３１ａと辺枠３２ａ（厚さ約０．５ｍｍ）に固設されているため、その構造は不安定であり、耐重量性が低い。このことから上記周知技術では容易に予想外の事態が生じて耐用寿命が短い。
【０００５】
そこで、ネジロック構造の利用で骨組と板体間の穏定性を高めるとともに耐用寿命及び耐重量性を向上させるために解決すべき技術的課題が生じてくるのであり、本考案はこの課題を解決することを目的とする。
【課題を解決するための手段】
【０００６】
本考案は上記目的を達成するために提案されたものであり、請求項１記載の考案は、多数の骨組構造２並びにそれぞれ面板３１、辺枠３２及び充填材料３３で組成された多数の板体３を備えたネジロック構造を具有する覆い隠し骨組の天井１であって、前記板体３の
辺枠３２内側に概略ブロック状を呈してネジ孔４２が形成された複数個のネジロック構造４を設け、前記骨組構造２における概略板状を呈する骨組２２を前記板体３同士が相互に連接する箇所の上方に跨って設け、該骨組２２の両端を前記ネジ孔４２へのネジ２３の締めこみにより前記ネジロック構造４に固着し、複数の前記板体３を相互に連接固定して一体としたネジロック構造を具有する覆い隠し骨組の天井を提供する。
【０００７】
この構成によれば、ネジロック構造の利用により、骨組を板体同士が相互に連接する箇所の上方に跨って設けたことで、板体から来る荷重が分散されて骨組と板体間の穏定性が高められる。
【０００８】
請求項２記載の考案は、請求項１記載の考案において、上記辺枠３２は断面が概略Ｍ形を呈して開口が外側向けの凹槽３２１を有し、且つ相対する該凹槽３２１の他端の辺縁にレール３２２を設け、上記ネジロック構造４には可動板４３を連接し該可動板４３を上記レール３２２に係設させたネジロック構造を具有する覆い隠し骨組の天井を提供する。
【０００９】
この構成によれば、ネジロック構造に連接した可動板を、辺枠側のレールに係設させたことで、該ネジロック構造の姿勢が能動的に定められて、該ネジロック構造への骨組の組付け容易性が得られる。
【００１０】
請求項３記載の考案は、請求項２記載の考案において、上記可動板４３ｂの両側を外向きに凸起させて上記ネジロック構造４との間にスライド槽４４ｂを形成し、該スライド槽４４ｂは上記辺枠３２のレール３２２に係設しているネジロック構造を具有する覆い隠し骨組の天井を提供する。
【００１１】
この構成によれば、可動板の両側を外向きに凸起させてスライド槽を形成し、該スライド槽をレールに係設させたことで、レールに対する可動板の係設容易性が得られる。
【００１２】
請求項４記載の考案は、請求項１記載の考案において、上記辺枠３２ｃは、断面が概略Ｃ形もしくは概略Ｏ形のいずれかであるネジロック構造を具有する覆い隠し骨組の天井を提供する。
【００１３】
この構成によれば、辺枠の断面を概略Ｃ形もしくは概略Ｏ形のいずれかとしたことで、辺枠の構造容易性が増し、また辺枠とネジロック構造との固設安定性が増大する。
【００１４】
請求項５記載の考案は、請求項２又は４記載の考案において、上記辺枠３２と上記ネジロック構造４は溶接手段もしくはネジ３７を用いたネジ締め付け手段のいずれかの手段で連結したものであるネジロック構造を具有する覆い隠し骨組の天井を提供する。
【００１５】
この構成によれば、辺枠の内側にネジロック構造が強固に連結される。
【００１６】
請求項６記載の考案は、請求項２記載の考案において、上記板体３が相互に連接する箇所に係合ピース７を設け、該係合ピース７を上記凹槽３２１内に係設したネジロック構造を具有する覆い隠し骨組の天井を提供する。
【００１７】
この構成によれば、相対する凹槽同士内に係設した係合ピースにより、相互に連接される板体同士が能動的に所要の連接姿勢となるように定められる。
【００１８】
請求項７記載の考案は、請求項２又は４記載の考案において、上記骨組２２に吊りロッド２８を設け、該吊りロッド２８は他端側のネジロッド２８２で上層構造１１下方の懸垂ロッド１２底端の水平調整器１３に取付けたネジロック構造を具有する覆い隠し骨組の天
井を提供する。
【００１９】
この構成によれば、骨組を吊りロッドで懸垂ロッド底端の水平調整器に取付けることで、天井を構成する多数の板体底面がほぼ同一平面となるように調整可能となる。
【００２０】
請求項８記載の考案は、請求項７記載の考案において、上記骨組２２は中間が内向けに概略凹状の板体を呈するとともに該凹状部の底板２５中間に孔２６を有し、上記吊りロッド２８は前記孔２６よりも大きい固定端２８１及び該固定端２８１に連接された上記ネジロッド２８２から組成し、該ネジロッド２８２は前記孔２６を通過した後、上向きに伸びて上記水平調整器１３に取付けられているネジロック構造を具有する覆い隠し骨組の天井を提供する。
【００２１】
この構成によれば、骨組は凹状部の底板中間に孔を有し、吊りロッドは前記孔よりも大きい固定端及びネジロッドから組成し、該ネジロッドが骨組の孔を通過した後、水平調整器に取付けられていることで、骨組の凹状部と吊りロッド側の固定端との間に水平調整器による調整操作の際の調整余裕が生じる。
【００２２】
請求項９記載の考案は、請求項７記載の考案において、板体３ｅが上記吊りロッド２８に相対する箇所に凹口３６ｅを有し、上記骨組２２ｅは中間に孔２６ｅを有し、前記吊りロッド２８は前記凹口３６ｅ内に置かれて前記孔２６ｅより大きい固定端２８１及び該固定端２８１に連接された上記ネジロッド２８２から組成し、該ネジロッド２８２は前記孔２６ｅを通過した後、上向きに伸びて上記水平調整器１３に取付けられているネジロック構造を具有する覆い隠し骨組の天井を提供する。
【００２３】
この構成によれば、骨組には吊りロッドにおけるネジロッドを通過させる孔のみを開穿し、前記ネジロッド先端部の固定端を収容する凹口は板体側に設けたことで、骨組の構造が簡単化される。
【００２４】
請求項１０記載の考案は、請求項１記載の考案において、多数の上記面板３１端部の断面は概略Ｌ形を呈し、前記面板３１は前記Ｌ形の部分で上記辺枠３２と相互に固定されているネジロック構造を具有する覆い隠し骨組の天井を提供する。
【００２５】
この構成によれば、板体を構成する面板と辺枠とは、面板端部のＬ形部分で相互に固定するようにしたことで、それぞれ面板と辺枠とが所定の組付け態様で一体的に固定された多数の板体が実現される。
【考案の効果】
【００２６】
請求項１記載の考案は、骨組と板体間の穏定性が高められることで、耐用寿命及び耐重量性を向上させることができるという利点がある。
【００２７】
請求項２記載の考案は、請求項１記載の考案の効果に加えてさらに、ネジロック構造への骨組の組付け容易性が得られることで、骨組と板体間の穏定性を一層高めることができるという利点がある。
【００２８】
請求項３記載の考案は、請求項２記載の考案の効果に加えてさらに、スライド槽をレールに係設させたことで、レールに対する可動板の一層の係設容易性が得られるという利点がある。
【００２９】
請求項４記載の考案は、請求項１記載の考案の効果に加えてさらに、辺枠の構造が簡単化されて材料費及び製造費用を低減することができ、また辺枠とネジロック構造との固設
安定性を増大させることができるという利点がある。
【００３０】
請求項５記載の考案は、請求項２又は４記載の考案の効果に加えてさらに、辺枠の内側にネジロック構造を強固に連結することができるという利点がある。
【００３１】
請求項６記載の考案は、請求項２記載の考案の効果に加えてさらに、相互に連接される板体同士を所要の連接姿勢となるように定めることができるという利点がある。
【００３２】
請求項７記載の考案は、請求項２又は４記載の考案の効果に加えてさらに、水平調整器により多数の板体底面を、ほぼ同一平面となるように調整することができるという利点がある。
【００３３】
請求項８記載の考案は、請求項７記載の考案の効果に加えてさらに、水平調整器による調整操作の際の調整余裕が生じることで、多数の板体底面を、ほぼ同一平面となるように容易且つ適切に調整することができるという利点がある。
【００３４】
請求項９記載の考案は、請求項７記載の考案の効果に加えてさらに、骨組の構造が簡単化されて該骨組の製作費用が低減するとともに材料費を節減することができるという利点がある。
【００３５】
請求項１０記載の考案は、請求項１記載の考案の効果に加えてさらに、それぞれ面板と辺枠とが所定の組付け態様で一体的に固定された多数の板体を容易に実現することができるという利点がある。
【図面の簡単な説明】
【００３６】
【図１】本考案の実施例１に係るネジロック構造を具有する覆い隠し骨組の天井の全体構成を示す斜視図。
【図２】図１における骨組とネジロック構造の連接関係部分等を示す拡大断面図。
【図３】本考案の実施例２において辺枠にレールを設けた部分等を示す拡大断面図。
【図４】本考案の実施例３において可動板とネジロック構造との間にスライド槽を形成した部分等を示す拡大断面図。
【図５】本考案の実施例４において辺枠とネジロック構造がネジを用いて連結された部分等を示す拡大断面図。
【図６】本考案の実施例５において相対する凹槽内に係合ピースを係設した部分等を示す拡大断面図。
【図７】本考案の実施例６において断面が概略Ｃ形を呈する辺枠部分等を示す拡大断面図。
【図８】本考案の実施例７において断面が概略Ｏ形を呈する辺枠部分等を示す拡大断面図。
【図９】本考案の実施例８において概略平板状を呈する骨組及び吊りロッドに相対する板体箇所に凹口を設けた部分等を示す拡大断面図。
【図１０】従来の天井板庫を示す斜視図。
【図１１】図１０における骨組部分等を示す拡大断面図。
【考案を実施するための形態】
【００３７】
本考案は、ネジロック構造の利用で骨組と板体間の穏定性を高めるとともに耐用寿命及び耐重量性を向上させるという目的を達成するために、多数の骨組構造２並びにそれぞれ面板３１、辺枠３２及び充填材料３３で組成された多数の板体３を備えたネジロック構造を具有する覆い隠し骨組の天井１であって、前記板体３の辺枠３２内側に概略ブロック状を呈してネジ孔４２が形成された複数個のネジロック構造４を設け、前記骨組構造２にお
ける概略板状を呈する骨組２２を前記板体３同士が相互に連接する箇所の上方に跨って設け、該骨組２２の両端を前記ネジ孔４２へのネジ２３の締めこみにより前記ネジロック構造４に固着し、複数の前記板体３を相互に連接固定して一体とすることにより実現した。
【実施例１】
【００３８】
以下、本考案の好適な実施例１を図１及び図２を参照して説明する。なお、図１において、前記図１０における構成要素と同一ないし均等のものは、前記と同一符号を以って示す。図１及び図２に示すように、本実施例１のネジロック構造を具有する覆い隠し骨組の天井１は、多数の骨組構造２並びにそれぞれ面板３１、辺枠３２及び充填材料３３で組成された多数の板体３が備えられ、該板体３の辺枠３２内側に数個のネジロック構造４が設けられている。又、前記多数の骨組構造２相互間は間隙２１が形成されている。そして、前記骨組構造２における骨組２２が、前記板体３同士が相互に連接する箇所の上方に跨って設けられている。このように、ネジロック構造４の利用により、骨組２２を板体３同士が相互に連接する箇所の上方に跨って設けたことで、板体３から来る荷重が分散されて骨組２２と板体３間の穏定性が高められる。これにより耐用寿命及び耐重量性を向上させることができる。
【００３９】
上記骨組２２とネジロック構造４の連接関係等を、以下にさらに詳述する。図２に示すように、多数の面板３１端部の断面は概略Ｌ形を呈し、面板３１は該Ｌ形の部分で辺枠３２と相互に固定されている。また、該辺枠３２は断面が概略Ｍ形を呈して開口が外側向けの凹槽３２１を有し、且つ該辺枠３２の内側に数個のネジロック構造４が設けられている。該ネジロック構造４は概略ブロック状を呈してネジ孔４２が形成されている。辺枠３２とネジロック構造４とは溶接で連結することができ、安定な固定構造を提供しうる。
【００４０】
骨組構造２は多数の骨組２２を連結してなり、該骨組２２は凹状板体で、板体３同士が相互に連接する箇所の上方に跨って設けている。該骨組２２の両端はネジ２３を用いてネジロック構造４のネジ孔４２に締め付け、板体３を相互に連接し一体に固定する。前記骨組２２は中間が内向けに概略凹状の板体を呈し、該凹状部の底板２５中間に孔２６を有している。また、該骨組２２には吊りロッド２８が連設されている。該吊りロッド２８は前記孔２６よりも大きい固定端２８１及び該固定端２８１に連接されたネジロッド２８２から組成され、該ネジロッド２８２は前記孔２６を通過した後、上向きに伸びて上層構造１１下方の懸垂ロッド１２底端の水平調整器１３にねじ込んで取付けられている。図示しないが、当然、吊りロッド２８も直接溶接或いはその他の方式で骨組２２上に固設することができる。
【００４１】
このように、骨組２２を吊りロッド２８で懸垂ロッド１２底端の水平調整器１３に取付けることで、天井１を構成する多数の板体３底面がほぼ同一平面となるように調整することが可能となる。また、吊りロッド２８は前記孔２６よりも大きい固定端２８１及びネジロッド２８２から組成し、該ネジロッド２８２が骨組２２の孔２６を通過した後、水平調整器１３に取付けられていることで、骨組２２の凹状部と吊りロッド２８側の固定端２８１との間に水平調整器１３による調整操作の際の調整余裕が生じて、容易且つ適切に調整することができる。
【００４２】
なお、骨組２２を４つの板体３連設箇所に設置したとき、その四角隅は、それぞれネジを利用して該当板体３のネジロック構造４のネジ孔４２に締め付け、それにより板体３を相互に連接固定して一体とすることもできる。
【実施例２】
【００４３】
本考案の実施例２を図３を用いて説明する。前述したように辺枠３２は断面が概略Ｍ形を呈して開口が外側向けの凹槽３２１を有しており、且つ相対する該凹槽３２１の他端の
辺縁にレール３２２が設けられている。一方、前記ネジロック構造４には可動板４３が連接され、該可動板４３が前記レール３２２に係設されている。このようにネジロック構造４に連接した可動板４３を、辺枠３２側のレール３２２に係設させたことで、該ネジロック構造４の姿勢が能動的に定められて、該ネジロック構造４への骨組２２の組付け容易性が得られる。これにより骨組２２と板体３間の穏定性を一層高めることができる。
【実施例３】
【００４４】
本考案の実施例３を図４を用いて説明する。本実施例３では、図４に示すように、可動板４３ｂの上、下両側が外向きに凸起されて前記ネジロック構造４との間にスライド槽４４ｂが形成され、該スライド槽４４ｂが辺枠３２のレール３２２に係設されている。このように可動板４３ｂにスライド槽４４ｂを形成し、該スライド槽４４ｂをレール３２２に係設させたことで、レール３２２に対する可動板４３ｂの一層の係設容易性が得られる。
【実施例４】
【００４５】
本考案の実施例４を図５を用いて説明する。辺枠３２と上記ネジロック構造４とは、前述したように溶接で連結する外に、組合わせ又は図５に示すように、ネジ３７を用いたネジ締め付け手段によっても強固に連結することができる。これにより板体３から来る荷重を確実に分散して耐用寿命及び耐重量性を一層向上させることができる。
【実施例５】
【００４６】
本考案の実施例５を図６を用いて説明する。本実施例５では、図６に示すように、板体３が相互に連接する箇所に係合ピース７を設け、該係合ピース７を前記凹槽３２１内に係設させている。このように、相対する凹槽３２１同士内に係合ピース７を係設させたことで、相互に連接される板体３同士が能動的に所要の連接姿勢となるように定められる。
【実施例６】
【００４７】
本考案の実施例６を図７を用いて説明する。本実施例６では、辺枠３２ｃの断面が概略Ｃ形に形成されている。辺枠３２ｃの断面を概略Ｃ形としたことで、辺枠３２ｃの構造が簡単化されて材料費及び製造費用を低減させることができる。
【実施例７】
【００４８】
本考案の実施例７を図８を用いて説明する。本実施例７では、辺枠３２ｄの断面が概略Ｏ形に形成されている。辺枠３２ｄの断面を概略Ｏ形としたことで、辺枠３２ｄとネジロック構造４との固設安定性が増大して耐用寿命及び耐重量性を一層向上させることができる。
【実施例８】
【００４９】
本考案の実施例８を図９を用いて説明する。本実施例８では、骨組２２ｅは概略平板状を呈し中間に孔２６ｅが開穿されている。一方、板体３ｅには前記吊りロッド２８に相対する箇所に凹口３６ｅが形成されている。前記吊りロッド２８は前記凹口３６ｅ内に置かれて前記孔２６ｅより大きい固定端２８１と該固定端２８１に連接されたネジロッド２８２から組成され、該ネジロッド２８２は前記孔２６ｅを通過した後、上向きに伸びて上記水平調整器１３にねじ込んで取付けられている。このように、骨組２２ｅには吊りロッド２８におけるネジロッド２８２を通過させる孔２６ｅのみを開穿し、前記ネジロッド２８２先端部の固定端２８１を収容する凹口３６ｅは板体３ｅ側に設けたことで、骨組２２ｅの構造が簡単化されて該骨組２２ｅの製作費用が低減するとともに材料費を節減することができる。
【００５０】
なお、本考案は、本考案の精神を逸脱しない限り種々の改変をなすことができ、そして、本考案が該改変されたものにも及ぶことは当然である。
【産業上の利用可能性】
【００５１】
骨組と板体間の穏定性を高めるとともに耐用寿命及び耐重量性を向上させることが不可欠な一般家屋及び工場建物等の天井に適用することが可能である。
【符号の説明】
【００５２】
１，１ａ                      天井
１１                          上層構造
１２                          懸垂ロッド
１３                          水平調整器
２，２ａ                      骨組構造
２１，２１ａ                  間隙
２２，２２ａ，２２ｅ          骨組
２３，３７                    ネジ
２３ａ                        Ｃ形端
２４ａ                        固定端
２５                          底板
２５ａ                        隔離板
２６，２６ｅ                  孔
２８                          吊りロッド
２８１                        固定端
２８２                        ネジロッド
３，３ａ，３ｅ                板体
３１，３１ａ                  面板
３２，３２ａ，３２ｃ，３２ｄ  辺枠
３２１，３２１ａ              凹槽
３２２                        レール
３３，３３ａ                  充填材料
３４ａ                        間距離
３６ｅ                        凹口
４                            ネジロック構造
４２                          ネジ孔
４３，４３ｂ                  可動板
４４ｂ                        スライド槽
７                            係合ピース
７ａ                          Ｌ形固定枠
【図１】
0003159072.tif 000003
【図２】
0003159072.tif 000004
【図３】
0003159072.tif 000005
【図４】
0003159072.tif 000006
【図５】
0003159072.tif 000007
【図６】
0003159072.tif 000008
【図７】
0003159072.tif 000009
【図８】
0003159072.tif 000010
【図９】
0003159072.tif 000011
【図１０】
0003159072.tif 000012
【図１１】
0003159072.tif 000013